(57)【要約】【課題】  豚にかかるストレスを可及的に減少させ、肉質の向上と作業の効率化を高めることのできる豚の追込み搬送方法とその装置を提供する。【解決】  上り方向に傾斜させて配置される誘導コンベア装置２と、誘導コンベア装置２の搬送方向上に、所要間隔と所要高さの段差を介して上り方向に傾斜させて配置され、豚を腹這い状態で搬送する腹乗せコンベアを主体とする腹乗せコンベア装置３と、誘導コンベア装置２と腹乗せコンベア装置３間の側面部に跨って配置される左右一対のコンベアからなる乗移りコンベア装置４とで搬送装置１を構成し、誘導コンベア装置２上の豚の背後を遮断しながら腹乗せコンベア装置３に搬送し、乗移りコンベア装置４に豚の脚部を移行させたのち、腹乗せコンベア装置３の始端側で乗移りコンベア装置４の進行方向を下降方向に変え、腹乗せコンベア装置３上に豚を腹這い状態で載せ電撃作業場に搬送する。【選択図】      図２
2010104290.tif 000002
【特許請求の範囲】
【請求項１】
所要頭数の豚を収容する追込み室の出口に近接して、上り方向に傾斜させて配置される誘導コンベア装置と、前記誘導コンベア装置の搬送方向上に、所要の間隔を存し、かつ所要高さの段差を介して上り方向に傾斜させて配置され、豚を腹這い状態で搬送する腹乗せコンベアを主体とする腹乗せコンベア装置と、前記誘導コンベア装置と腹乗せコンベア装置間の側面部に跨って配置される左右一対のコンベアからなる乗移りコンベア装置を使用し、
前記追込み室から誘導コンベア装置上に豚を送り出すと同時に、追込み室側の誘導コンベア装置の始端部を遮断する工程と、
前記誘導コンベア装置に載せた豚を、その背後を遮断した状態を保持しながら搬送する工程と、
前記誘導コンベア装置上の豚の胸部が、前記段差を介して配置された腹乗せコンベア装置の始端部に接したとき、豚の左右の脚部を自動的に前記左右一対の乗移りコンベア側に移行させ、この状態を保持しながら搬送する工程と、
前記腹乗せコンベアの始端側において、前記乗移りコンベアの進行方向を下降方向に変えることによって、豚を確実に腹這い状態で前記腹乗せコンベアに乗移らせる工程と、
腹這い状態の豚を、その状態を維持しながら腹乗せコンベアによって、電撃作業場に搬送する工程
を順次実施すること
を特徴とする豚の追込み搬送方法。
【請求項２】
所要頭数の豚を収容する追込み室の出口に近接して、上り方向に傾斜させて配置される誘導コンベア装置と、前記誘導コンベア装置の搬送方向上に、段差を介して上り方向に傾斜させて配置され、豚を腹這い状態で搬送する腹乗せコンベア装置と、前記誘導コンベア装置と腹乗せコンベア装置の側面部間に跨って配置される乗移りコンベア装置から構成されるものであって、
前記誘導コンベア装置は、搬送方向に沿って、誘導コンベアの移動速度と同期しながら移動するとともに、誘導コンベア上に乗った豚の背後を、遮断した状態で併走するプッシング機構を具備し、
前記腹乗せコンベア装置は、前記誘導コンベアの進行方向上に、その始端部が、前記誘導コンベアの終端部との間に所要の間隔を存し、かつ誘導コンベア装置の終端部との間に所要高さの段差を介して上り方向に配置され、
前記乗移りコンベア装置は、前記誘導コンベア装置の終端部と腹乗せコンベア装置の始端部間に跨って並行配置される、所要の幅と長さを有する左右一対の乗移りコンベアからなること
を特徴とする豚の追込み搬送装置。
【請求項３】
前記誘導コンベア装置は、
所要の幅と長さを有する誘導コンベアで構成され、その始端部は、前記追込み室の出口近傍に位置し、前記出口と前記誘導コンベアの始端部との間に、スライド式柵ゲートが出没自在に配置されていること
を特徴とする請求項２に記載の豚の追込み搬送装置。
【請求項４】
前記誘導コンベアは、
終端部側に、豚の脚を左右に強制的に開脚させる平面三角形状の開脚部材が配置されていること
を特徴とする請求項３に記載の豚の追込み搬送装置。
【請求項５】
前記誘導コンベア装置は、
いずれか一方の側面に沿って配置された、楕円形状のコンベアに突設された柵部材によって、誘導コンベア上の豚の後部を常時遮断するプッシング機構を具備していること
を特徴とする請求項２又は３に記載の豚の追込み搬送装置。
【請求項６】
前記乗移りコンベア装置は、
所要の長さを有する左右一対のコンベアからなるもので、前記コンベアは、前記誘導コンベアおよび腹乗せコンベアより広幅で、前記誘導コンベアと並行する前記コンベアの上部始端側は、誘導コンベアと面一の高さとし、前記腹乗せコンベアと並行するコンベアの上部終端側は、腹乗せコンベアの始端側で下方に向かって移動するように構成されていること
を特徴とする請求項２に記載の豚の追込み搬送装置。
【請求項７】
前記誘導コンベア装置、腹乗せコンベア装置および乗移りコンベア装置は、
いずれも豚の背面部および側面部を拘束する拘束機構を有すること
を特徴とする請求項２〜６のいずれかに記載の豚の追込み搬送装置。
【請求項８】
前記誘導コンベア、腹乗せコンベアおよび乗移りコンベアは、
いずれもエンドレスに形成され、インバータ制御されるモータなどの駆動装置によって駆動すること
を特徴とする請求項２〜６のいずれかに記載の豚の追込み搬送装置。
【発明の詳細な説明】
【技術分野】
【０００１】
この発明は、屠畜作業場において、豚を追込通路から電撃作業場へ送り込むに際し、豚に無理な負担や恐怖感を与えることなく、常に安定した状態で豚を搬送することのできる豚の追込み搬送方法と、この方法に使用する装置に関するものである。
【背景技術】
【０００２】
豚を拘束した状態で電撃作業場に搬送するに際し、豚に無理な負担や恐怖感を与えることなく、常に安定した豚の動きを拘束保定する搬送装置として、特許第２８６９７２２号公報（特許文献１）において、豚の保定搬送装置が提案されている。
【０００３】
この豚の保定搬送装置は、特公平７−８９８３７号公報で提案された豚の拘束搬送装置の有する問題点を解決したものである。
具体的には、豚の追込み通路の終端部に、豚の腹部を乗載支持し、搬送する搬送手段を連続して配置し、豚を拘束した姿勢で電撃作業場に連続的に送り込むようにした豚の保定搬送装置において、前記搬送手段の左右両側及び上側の略全長に、搬送手段の軸線と平行で、かつ、豚の左右両側に接する水平移動可能な側部拘束手段を左右対称的に設けるとともに、豚の背側に接する上下移動可能な背部拘束手段を設けたものである。
【０００４】
前記特許文献１に記載の豚の保定搬送装置は、豚の追込み通路と、前記通路上に設けた開脚体によって案内された豚は、腹這い状態でコンベアに乗載支持されて搬送されるとともに、豚は背部拘束手段、側部拘束手段の上下、又は左右の水平移動によって、体形に適合した拘束がなし得られ、豚の安定した搬送が連続的に行われ、電撃効果の向上が図れるという作用効果を奏する点において、きわめて実用性の高いものである。
【０００５】
また、豚の習性を利用して、恐怖感のない安定した搬送がなし得られ、更に電撃効果の向上が図れることが期待されていた。
【特許文献１】特許第２８６９７２２号公報
【特許文献２】特公平  ７−８９８３７号公報
【発明の開示】
【発明が解決しようとする課題】
【０００６】
前記特許文献１に記載の豚の保定搬送装置は、先に述べたように、豚を一頭づつ追込み通路に追込んだのち、豚の自走によって前進させながら、通路上に設けた開脚手段によって、豚の脚を左右に開脚させ、コンベアに腹這い状態で載せて電撃作業場に送り込むものである。
【０００７】
しかしながら、前記豚の保定搬送装置の近傍に設けられた、追込みのための待機場所から一頭づつ豚を追い込む作業は、作業員が豚の臀部などを叩きながら行っているが、豚は素直に追込み通路に入るとは限らず、場合によっては暴れることもある。
【０００８】
また、自ら追込み通路に進入したとしても、追込み通路に追込まれた豚の全てが自発的に前進するとは限らず、後戻りすることや、後続の豚が前の豚に近接した状態で移動する場合、さらには、後続の豚が前の豚に乗り掛かることもある。
そのため、追込み通路に作業員を配置し、前記のような場合には、作業員が豚の臀部などを叩きながら適宜前進させる必要があるので、作業員の負担が大きく、豚に作用する負荷（ストレス）も、必ずしも減少していないことが判明した。
【０００９】
この発明はかかる現状に鑑み、豚を電撃作業場に送り込むに際し、追込み通路（誘導路）に送り込まれた豚を、人手を要することなくスムーズに前進させたのち、前記追込み通路の終端部において、豚の脚を自動的に左右に拡開させて、搬送装置に腹這い状態で載せながら電撃作業場まで搬送することによって、豚にかかるストレスを可及的に減少させ、肉質の向上と作業の効率化を高めることのできる豚の追込み搬送方法とその装置を提供せんとすることを目的としたものである。
【課題を解決するための手段】
【００１０】
前記の目的を達成するため、この発明の請求項１に記載の発明は、
所要頭数の豚を収容する追込み室の出口に近接して、上り方向に傾斜させて配置される誘導コンベア装置と、前記誘導コンベア装置の搬送方向上に、所要の間隔を存し、かつ所要高さの段差を介して上り方向に傾斜させて配置され、豚を腹這い状態で搬送する腹乗せコンベアを主体とする腹乗せコンベア装置と、前記誘導コンベア装置と腹乗せコンベア装置間の側面部に跨って配置される左右一対のコンベアからなる乗移りコンベア装置を使用し、
前記追込み室から誘導コンベア装置上に豚を送り出すと同時に、追込み室側の誘導コンベア装置の始端部を遮断する工程と、
前記誘導コンベア装置に載せた豚を、その背後を遮断した状態を保持しながら搬送する工程と、
前記誘導コンベア装置上の豚の胸部が、前記段差を介して配置された腹乗せコンベア装置の始端部に接したとき、豚の左右の脚部を自動的に前記左右一対の乗移りコンベア側に移行させ、この状態を保持しながら搬送する工程と、
前記腹乗せコンベアの始端側において、前記乗移りコンベアの進行方向を下降方向に変えることによって、豚を確実に腹這い状態で前記腹乗せコンベアに乗移らせる工程と、
腹這い状態の豚を、その状態を維持しながら腹乗せコンベアによって電撃作業場に搬送する工程
を順次実施すること
を特徴とする豚の追込み搬送方法である。
【００１１】
また、この発明の請求項２に記載の発明は、
所要頭数の豚を収容する追込み室の出口に近接して、上り方向に傾斜させて配置される誘導コンベア装置と、前記誘導コンベア装置の搬送方向上に、段差を介して上り方向に傾斜させて配置され、豚を腹這い状態で搬送する腹乗せコンベア装置と、前記誘導コンベア装置と腹乗せコンベア装置の側面部間に跨って配置される乗移りコンベア装置から構成されるものであって、
前記誘導コンベア装置は、搬送方向に沿って、誘導コンベアの移動速度と同期しながら移動するとともに、誘導コンベア上に乗った豚の背後を、遮断した状態で併走するプッシング機構を具備し、
前記腹乗せコンベア装置は、前記誘導コンベアの進行方向上に、その始端部が、前記誘導コンベアの終端部との間に所要の間隔を存し、かつ誘導コンベア装置の終端部との間に所要高さの段差を介して上り方向に配置され、
前記乗移りコンベア装置は、前記誘導コンベア装置の終端部と腹乗せコンベア装置の始端部間に跨って並行配置される、所要の幅と長さを有する左右一対の乗移りコンベアからなること
を特徴とする豚の追込み搬送装置である。
【００１２】
また、この発明の請求項３に記載の発明は、
請求項２に記載の豚の追込み搬送装置において、
前記誘導コンベア装置は、
所要の幅と長さを有する誘導コンベアで構成され、その始端部は、前記追込み室の出口近傍に位置し、前記出口と前記誘導コンベアの始端部との間に、スライド式柵ゲートが出没自在に配置されていること
を特徴とするものである。
【００１３】
また、この発明の請求項４に記載の発明は、
請求項３に記載の豚の追込み搬送装置において、
前記誘導コンベアは、
終端部側に、豚の脚を左右に強制的に開脚させる平面三角形状の開脚部材が配置されていること
を特徴とするものである。
【００１４】
また、この発明の請求項５に記載の発明は、
請求項２又は３に記載の豚の追込み搬送装置において、
前記誘導コンベア装置は、
いずれか一方の側面に沿って配置された、楕円形状のコンベアに突設された柵部材によって、誘導コンベア上の豚の後部を常時遮断するプッシング機構を具備していること
を特徴とするものである。
【００１５】
また、この発明の請求項６に記載の発明は、
請求項２に記載の豚の追込み搬送装置において、
前記乗移りコンベア装置は、
所要の長さを有する左右一対のコンベアからなるもので、前記コンベアは、前記誘導コンベアおよび腹乗せコンベアより広幅で、前記誘導コンベアと並行する前記コンベアの上部始端側は、誘導コンベアと面一の高さとし、前記腹乗せコンベアと並行するコンベアの上部終端側は、腹乗せコンベアの始端側で下方に向かって移動するように構成されていること
を特徴とするものである。
【００１６】
また、この発明の請求項７に記載の発明は、
請求項２〜６のいずれかに記載の豚の追込み搬送装置において、
前記誘導コンベア装置、腹乗せコンベア装置および乗移りコンベア装置は、
いずれも豚の背面部および側面部を拘束する拘束機構を有すること
を特徴とするものである。
【００１７】
また、この発明の請求項８に記載の発明は、
請求項２〜６のいずれかに記載の豚の追込み搬送装置において、
前記誘導コンベア、腹乗せコンベアおよび乗移りコンベアは、
いずれもエンドレスに形成され、インバータ制御されるモータなどの駆動装置によって駆動すること
を特徴とするものである。
【発明の効果】
【００１８】
この発明の豚の追込み搬送方法は、追込み室から追出された豚を誘導コンベア装置に追込んだのち、誘導コンベア装置の始端部を遮断するため、追込み室側に後戻りすることがなく、暴れるおそれも解消される。
【００１９】
また、この発明の豚の追込み搬送方法は、誘導コンベアの前進に伴って、常時豚の後部側を遮断した状態で搬送するので、豚を一頭づつ、所定間隔を存して前方に搬送することができるとともに、豚が誘導コンベア上で後ずさりすることがなく、かつ前後の豚同士が互いに接触することがなく、豚に不要なストレスを掛けることがない。
また、作業員の追込み作業における負担が大幅に減少し、オートメーション化を可能とするものである。
【００２０】
また、この豚の追込み搬送方法は、豚を立脚状態で搬送する誘導コンベア装置と、豚を腹這い状態で搬送する腹乗せコンベア装置の間に、乗移りコンベア装置を介在させることによって、自動的に開脚される豚の左右の脚部を保持し、豚を安全に前進させることができる。
【００２１】
また、前記誘導コンベア装置と腹乗せコンベア装置間に跨って、左右両側部にそれぞれ乗移りコンベアが配され、かつ誘導コンベア装置の終端部と腹乗せコンベア装置の始端部には、所要の高さの段部を有するため、豚の胸部が前記段差に当接すると、自動的に豚が持上げられると同時に、左右の脚部が自動的に開脚し、開脚された各四肢がそれぞれ前記前記左右一対の乗移りコンベアで支持されるが、前記乗移りコンベアの進行方向を、前記腹乗せコンベアの始端側で下降方向に変えることによって、豚の四肢が乗移りコンベアから離れる。
したがって、誘導コンベアより高い位置に配置した腹乗せコンベアに、豚をスムーズに乗移らせることができるので、豚に過度のストレスを与えることがない。
【００２２】
さらに、この豚の追込み搬送装置は、前記誘導コンベア装置の搬送方向に沿って、誘導コンベアの移動速度と同期しながら移動し、コンベア上に乗った豚の背後を遮断した状態で併走するプッシング機構を具備しているので、豚が不用意に後ずさりすることがなく、スムーズな搬送を行なうことができる。
【００２３】
また、前記誘導コンベア装置に送り出した豚を、一頭づつ所要の間隔を存して搬送することができるので、誘導コンベア上の豚同士の接触などがない。
同時に、定間隔で豚を確実に搬送することができるため、搬送効率を大幅に向上させるとともに、豚に対する負荷が減少し、配置する作業員の数を減らし省力化を推進させることができる。
【００２４】
特に、この豚の追込み搬送装置は、追込み室から追出した豚を、爾後、作業員の人手を要することなく、電撃作業場まで豚に不要なストレスを掛けることなく、効率的に搬送させることができるので、肉質の向上と省人化を大幅に向上させることができる。
【発明を実施するための最良の形態】
【００２５】
以下、この発明にかかる豚の搬送方法の一例を、添付の図面に示す豚の搬送装置を参照しながら具体的に説明する。
【００２６】
図１はこの発明にかかる豚の搬送装置の概略を示す平面図、図２は同側面図、図３は要部の拡大平面図、図４はこの発明の豚の搬送装置を構成する腹乗せコンベアの概略説明図である。
【００２７】
この発明にかかる豚の搬送装置１は、図１および図２で明らかなように、所要頭数の豚を収容する追込み室（図示せず）出口に近接し、上り方向に傾斜させて配置される誘導コンベア２１を主体とする誘導コンベア装置２と、前記誘導コンベア２１の搬送方向と同一軸線上に、わずかな段差、具体的には豚の脚の長さ程度、を介して上り方向に傾斜させて配置され、豚を腹這い状態で搬送する腹乗せコンベア３１を主体とする装置３と、前記誘導コンベア装置２と腹乗せコンベア装置３の側面部間に跨って配置される、左右一対のコンベア４１，４２を主体とする乗移りコンベア装置４からなるものである。
【００２８】
前記誘導コンベア装置２は、豚が自然体で歩行するのに必要な最低の幅（約２０ｃｍ程度）と、所要の長さ（約６００ｃｍ以下程度）を有する、インバータ制御されるエンドレスな誘導コンベア２１からなるもので、その両側面と上部には、豚を拘束するための拘束機構（図示せず）が配置されている。
【００２９】
また、この誘導コンベア装置２のいずれか一方の側面には、長軸側が前記誘導コンベア２１と併走可能な、インバータ制御されるエンドレスな楕円形のコンベア２２が配置されている。
【００３０】
この楕円形のコンベア２２は、コンベア２２の周長によってピッチ割りを行ない、外方に突出する柵部材２３を定ピッチ毎に配置し、前記誘導コンベア２１上の豚の後部を遮断し、かつ後退した豚の臀部を前方に押し遣るプッシング機構を構成している。
【００３１】
さらに、この誘導コンベア装置２の始端側（前記追込み室側）には、図１で明らかなように、誘導コンベア２１に追込まれた豚が追込み室に後戻りすることがないよう、スライド式柵ゲート２４が、前記誘導コンベア２１の始端部を遮断できるよう、出没自在となるよう配置されている。
【００３２】
さらにまた、前記誘導コンベア２１の終端部の上面には、豚の前後の脚を同時に、かつ強制的に開脚させるための、平面視二等辺三角形状の開脚部材２５が配置されている。
なお、この開脚部材２５は、この発明においては必須のものではなく、前後の脚を強制的に開脚させることができる機構を備えるならば、特段の制限はないものである。
【００３３】
前記腹乗せコンベア装置３は、前記誘導コンベア２１の搬送方向上に、一般的な豚における脚長程度の高さの段差を介して、上り方向に傾斜させて配置されるインバータ制御されるエンドレスな腹乗せコンベア３１からなるもので、この腹乗せコンベア３１の幅は、前記誘導コンベア２１の幅と同幅以下、具体的には約１０ｍｍ程度とすることによって、装置全体の小型化を図っている。
【００３４】
前記乗移りコンベア装置４は、図１で明らかなように、同一線延長線上に所要間隔を存して配置される前記誘導コンベア装置２の始端部と、前記腹乗せコンベア装置３の終端部に跨る左右側面部に配置される、インバータ制御されるエンドレスな左右一対のコンベア４１，４２とから構成される。
【００３５】
前記左右一対のコンベア４１，４２は、開脚された豚の前後方向の四肢（脚部）を安定して搬送させるに必要な幅を有するものである。
また、各コンベア４１，４２の始端側（誘導コンベア２１側）の、前記誘導コンベア２１と併走する上部コンベア終端部４１ａは、誘導コンベア２１と同じ高さを保持して上方に移動するよう配置されるとともに、前記腹コンベア３１の始端側の上部コンベア終端部４１ｂは、図２で明らかなように、下降方向に移動するように配置されるものである。
なお、反対側のコンベア４２も同様に配置されるものである。
【００３６】
したがって、乗移りコンベア４１，４２にそれぞれ両脚が載せられた豚は、開脚状態を維持しながら前進する。
ついで、前記コンベア４１，４２が、前記腹乗せコンベア３１の始端部から少し前進した位置で下降方向に移動すると、豚の両脚が乗移りコンベア４１，４２から完全に離れ、豚の腹部が、段差を以って上向きに配置された腹乗せコンベア３１に載るので、豚は腹這い状態を維持した状態で、前記腹乗せコンベア３１によって電撃作業場（図示せず）に搬送される。
【００３７】
また、この発明の豚の搬送装置１は、図４に示す腹乗せコンベア装置３で明らかなように、各コンベア２１，３１，４１，４２は、いずれも機枠Ｆ内に配置され、当該機枠Ｆ内に設けられる駆動輪（図示せず）が、歯車などの連動機構を介してモータなどの駆動源に連結されている。
【００３８】
また、各コンベアを内装する機枠Ｆの内側面部には、それぞれ豚の側部を拘束する拘束部材Ａ，Ａが、上部には豚の背部を拘束する拘束部材Ｂが配置されるものである。
これら拘束部材Ａ，Ｂは、いずれもエアシリンダによって適宜制御されるもので、配置位置や制御手段には特段の制限はないものである。
【００３９】
かかる構成からなる豚の搬送装置１を使用した豚の搬送方法を、具体的に説明する。
【００４０】
豚が追込み室の出口から追出され、誘導コンベア装置２側に移動すると、誘導コンベア２１の始端部近傍に設置された複数の自動測定装置（図示せず）によって、豚の体幅、体高、腹部の床からの高さなどが測定され、この測定値は電子的記憶装置に入力される。
ついで、豚が誘導コンベア２１上に載ると、追込み室の出口と連続する誘導コンベア装置２間が、スライド式柵ゲート２４によって閉止されるので、豚は後退して追込み室に戻ることはない。
【００４１】
追込まれた豚が載った前記誘導コンベア２１は、上方に向かって移動するので、誘導コンベア２１上の豚は、その自重などによって後退するおそれがあるが、豚が誘導コンベア２１上に載ると、前記プッシング機構が自動的に作動し、豚の臀部側の誘導コンベア２１上に柵部材２３を突出させ、豚の臀部側を遮断し、柵部材２３によって後押しすることによって、豚の後退を阻止する。
【００４２】
この状態を保持しながら、誘導コンベア２１の移動によって、豚が開脚部材２５に接すると、この開脚部材２５によって豚は、左右の両前足、両後足を強制的に開かれ、腹乗せコンベア３１に向かって前進する。
【００４３】
しかしながら、前記腹乗せコンベア３１の始端部と誘導コンベア２１の終端部の左右側面部には、それぞれ腹乗せコンベア３１と誘導コンベア２１間に跨って、左右一対のコンベア４１，４２が配置されているので、前記開脚部材２５によって強制的に左右に押し開かれた左側の前後の脚は、図３においてコンベア４２上に、右側の前後の脚は、コンベア４１上に移動した状態で前進する。
【００４４】
なお、この実施例においては、前記開脚部材２５によって豚の前後の脚部を強制的に左右に押し開き、誘導コンベア２１の左右に配置した腹乗せコンベア３１の始端側に移行させる方式を採用しているが、前記開脚部材２５が存在しなくとも、この発明の豚の搬送装置１では、豚の前後の脚部を左右に開脚させることができるものである。
【００４５】
すなわち、前記誘導コンベア２１の終端部と、腹乗せコンベア３１の始端部とは、所要の間隔を存するとともに、豚の脚部の長さとほぼ対応する高さの段差が形成されているので、誘導コンベア２１の終端側に搬送された豚の胸部は、必然的に高さのある腹乗せコンベア３１の始端部に当接する。
【００４６】
一方、前記腹乗せコンベア３１も上り方向に回転しているため、豚の胸部が腹乗せコンベア３１によって持上げられると同時に、左右の前後の脚部が、腹乗せコンベア３１と同速度で移動する左右のコンベア４１，４２と当接し、脚部をコンベア４１，４２に、胴体の一部が腹乗せコンベア３１に載った状態で前進移動するものである。
【００４７】
しかしながら、前記各コンベア４１，４２は、始端側が誘導コンベア２１の終端部と、終端側が腹乗せコンベア３１の始端側と並走するように配置されるとともに、各コンベア４１，４２の終端部は、前記腹乗せコンベア３１の始端側から少し前進した位置で、上り方向から下降方向に移動方向が変更されるように設けられている。
【００４８】
したがって、豚の腹乗せコンベア３１への移行とほぼ同時に、前記コンベア４１，４２が上方移動から下方移動に変わるので、豚の脚がいずれもコンベア４１，４２上から離れるため、腹乗せコンベア３１に移行した豚は、自身の脚部で立つことができず、自動的に腹部が腹乗せコンベア３１上に載せられた状態で電撃作業場に送られる。
【００４９】
以上述べたように、この発明の豚の搬送方法およびその搬送装置は、追込み室から出た豚については、爾後、人手を要することなく電撃作業場まで自動的に搬送されるので、人手を要した従来の搬送手段に比べ、豚にかかるストレスを大幅に減らすことができる。
【産業上の利用可能性】
【００５０】
この発明の豚の搬送方法とその搬送装置は、誘導コンベア装置と、腹乗せコンベア装置と、前記誘導コンベア装置と腹乗せコンベア装置間の側面部に跨って配置される左右一対のコンベアからなる乗移りコンベア装置を利用することによって、豚を電撃作業場に搬送するものであるので、前記誘導コンベア装置、腹乗せコンベア装置、左右一対の乗移りコンベアの大きさや強度などを適宜設定することによって、他の動物にも利用可能なものである。
【図面の簡単な説明】
【００５１】
【図１】この発明にかかる豚の搬送装置の概略を示す平面図である。
【図２】同側面図である。
【図３】要部の拡大平面図である。
【図４】この発明の豚の搬送装置を構成する腹乗せコンベアの概略説明図である。
【符号の説明】
【００５２】
１          豚の搬送装置
２          誘導コンベア装置
２１        誘導コンベア
２２        楕円形状のコンベア
２３        柵部材
２４        スライド式柵ゲート
２５        開脚部材
３          腹乗せコンベア装置
３１        腹乗せコンベア
４          乗移りコンベア装置
４１，４２  コンベア
４１ａ      コンベアの始端側
４１ｂ      コンベアの終端側
【図１】
2010104290.tif 000003
【図２】
2010104290.tif 000004
【図３】
2010104290.tif 000005
【図４】
2010104290.tif 000006